(57)【要約】      （修正有）【課題】プリザーブドフラワーからなる副葬品をメッセージカードに貼付して納棺することにより、葬儀参列者が葬儀において故人に対する想いを十分に伝えることができ、更に遺族が葬儀参列者と故人との関係を知ることができることで、葬儀参列者と遺族との想いが通じ合うことにより心に残る葬儀を実現することができる副葬品付きメッセージカード及び収納ケースを提供する。【解決手段】折り畳み可能なカード本体２と複写可能な複写紙３とからなるメッセージカード１と、前記メッセージカードに取り付ける副葬品と、前記複写紙を収納する収納ケースからなり、前記メッセージカードは、副葬品を貼付する貼付手段４を有し、前記副葬品は、プリザーブドフラワーであり、且つ前記貼付手段により前記メッセージカードに貼着される。【選択図】図１
2016022080.tif 000002
【特許請求の範囲】
【請求項１】
折り畳み可能なカード本体と複写可能な複写紙とからなるメッセージカードと、
前記メッセージカードに取り付ける副葬品と、
前記複写紙を収納する収納ケースからなり、
前記メッセージカードは、前記副葬品を貼付する貼付手段を有し、
前記副葬品は、プリザーブドフラワーであり、且つ前記貼付手段により前記メッセージカードに貼付されることを特徴とする
副葬品付きメッセージカード及び収納ケース。
【請求項２】
前記プリザーブドフラワーはバラであることを特徴とする請求項１記載の副葬品付きメッセージカード及び収納ケース。
【請求項３】
前記プリザーブドフラワーは特定の有色であることを特徴とする請求項１又は２に記載の副葬品付きメッセージカード及び収納ケース。
【請求項４】
前記メッセージカード及び前記収納ケースは特定の有色であり、
前記メッセージカード及び収納ケースの色は、故人との関係により選択可能であることを特徴とする請求項１乃至３何れかに記載の副葬品付きメッセージカード及び収納ケース。
【発明の詳細な説明】
【技術分野】
【０００１】
本発明は、副葬品付きメッセージカード及び収納ケースに関する。より詳しくは、プリザーブドフラワーからなる副葬品をメッセージカードに貼付して納棺することにより、葬儀参列者の故人に対する思いを十分に伝えることができ、更に遺族が葬儀参列者と故人との関係を知ることができる副葬品付きメッセージカード及び収納ケースに関する。
【背景技術】
【０００２】
お葬式は、故人との全ての人間関係の終わりであり、故人との別れを偲ぶために、これまで多くのしきたりやマナー（香典・供花等）がつくられてきた。
【０００３】
しかしながら、高齢化社会・多様化社会が進むなか、葬儀件数が増えていく一方、これまでとはスタイルの異なるお葬式が多くなっている。例えば、通夜式・告別式を行わない一日葬、家族葬、密葬の費用がかからない葬儀を行う遺族が増えてきている。この場合、遺族側が葬儀参列者からの香典・供花等を辞退することが多く、葬儀参列者は香典・供花を通じて故人に対する想いを伝えたり、故人を偲ぶことができない。
【０００４】
これまでとは異なる葬儀方法について特許文献１には、葬儀用具セットに関して記載されており、故人へのメッセージを記入するカードと、包装体にメッセージを記入したカードを入れて装飾体を取り付けて納棺することで、故人への会葬者の悲哀の気持ちを表現することができる。
【０００５】
また、特許文献２には故人に宛てられた追悼のメッセージを葬儀会場の参列者から見える場所に写し出して、葬儀中に参列者に見てもらえるようにすることで、有意義な葬儀とする葬儀方法について記載されている。
【先行技術文献】
【特許文献】
【０００６】
【特許文献１】特許第４６９５７４７号公報
【特許文献２】特開２００２−６５４５０号公報
【発明の概要】
【発明が解決しようとする課題】
【０００７】
しかしながら、メッセージを記入することだけでは参列者の故人に対する言葉では言い表せない思いを十分に込めることができるとはいえない。また、特許文献１のようにメッセージに加え装飾を用いて故人に対する思いを込めたとしても、遺族は葬儀参列者と故人との関係を知ることができない。
【課題を解決するための手段】
【０００８】
本発明は上記した課題を解決するためになされたものであって、プリザーブドフラワーからなる副葬品をメッセージカードに貼付して納棺することにより、葬儀参列者が葬儀において故人に対する想いを十分に伝えることができ、更に遺族が葬儀参列者と故人との関係を知ることができることで、葬儀参列者と遺族との想いが通じ合うことにより心に残る葬儀を実現することができる副葬品付きメッセージカード及び収納ケースを提供することを目的とする。
【０００９】
請求項１に係る発明は、折り畳み可能なカード本体と複写可能な複写紙とからなるメッセージカードと、前記メッセージカードに取り付ける副葬品と、前記複写紙を収納する収納ケースからなり、前記メッセージカードは、前記副葬品を貼付する貼付手段を有し、前記副葬品は、プリザーブドフラワーであり、且つ前記貼付手段により前記メッセージカードに貼付されることを特徴とする副葬品付きメッセージカード及び収納ケースに関する。
【００１０】
請求項２に係る発明によれば、前記プリザーブドフラワーはバラであることを特徴とする請求項１記載の副葬品付きメッセージカード及び収納ケースに関する。
【００１１】
請求項３に係る発明によれば、前記プリザーブドフラワーは特定の有色であることを特徴とする請求項１又は２に記載の副葬品付きメッセージカード及び収納ケースに関する。
【００１２】
請求項４に係る発明によれば、前記メッセージカード及び前記収納ケースは特定の有色であり、前記メッセージカード及び収納ケースの色は、故人との関係により選択可能であることを特徴とする請求項１乃至３何れかに記載の副葬品付きメッセージカード及び収納ケースに関する。
【発明の効果】
【００１３】
請求項１に係る発明によれば、メッセージカードはメッセージカード本体と、複写紙とからなるため、葬儀参列者はメッセージカードを納棺し、複写紙を遺族へ渡すことが可能となる。また、メッセージカードに副葬品としてプリザーブドフラワーを貼付することから、葬儀参列者は故人への言葉に尽くせない想いを花に添えて故人を見送ることができる。更にプリザーブドフラワーを使用することで、長期間保管することが可能となり、生花のように季節や天候に左右されずに安定して提供することができる。
【００１４】
請求項２に係る発明によれば、プリザーブドフラワーはバラであることから、葬儀参列者は故人に対する想いをバラの花言葉を込めて故人を偲び、見送ることができる。
【００１５】
請求項３に係る発明によれば、プリザーブドフラワーが特定の有色であるから、葬儀参列者はカード本体に貼付するプリザーブドフラワーの色を選ぶことができ、花に与えられている特定の色別の花言葉に生前の故人に対する想いを込めて故人を偲び、見送ることができる。
【００１６】
請求項４に係る発明によれば、収納ケース及びメッセージカードは特定の有色であることから、遺族はメッセージカードを記した葬儀参列者の故人との関係を特定の色により知ることが可能となる。
【図面の簡単な説明】
【００１７】
【図１】本発明に係るメッセージカードを示す図であり、（ａ）はカードを開いた状態を示す図、（ｂ）はカードの表紙を示す図である。
【図２】本発明に係る収納ケースを示す図であり、（ａ）は表面部分、（ｂ）は裏面部分を示す図であり、（ｃ）は収納ケースの他の実施形態を示す図である。
【図３】本発明に係る副葬品に使用されるプリザーブドフラワーを示す図であり、（ａ）はバラ、（ｂ）はカーネーション、（ｃ）は菊を示す図である。
【図４】プリザーブドフラワーが特定の有色であることを示す図である。
【図５】プリザーブドフラワーからなる副葬品が収納容器に収納されている図である。
【図６】副葬品がカード本体に貼付されたことを示す図である。
【図７】副葬品付きメッセージカードが納棺に納められていることを示す図である。
【発明を実施するための形態】
【００１８】
本発明に係る副葬品付きメッセージカード及び収納ケースの好適な実施形態について図面を参照しながら説明する。
【００１９】
図１は本発明の一実施形態に係るメッセージカードを示す図である。メッセージカード１は、カード本体２と複写紙３からなる。
メッセージカード１のカード本体２は折り畳み可能であり、カード表紙には後述する副葬品６を貼付する貼付手段４が設けられている（図１（ｂ）参照）。複写紙３は、折り畳まれたメッセージカード１の内部にカード本体２と分離可能に配されている。
葬儀において、葬儀参列者はメッセージカード１にメッセージを記入する。具体的には図１（ｂ）に示すように、ご記名欄に参列者自身の氏名を、メッセージ欄に「ありがとうございました。やすらかに。」等のメッセージを記入する。記入後、カード本体２と複写紙３を分離することで、葬儀参列者はカード本体２を納棺し、参列者氏名とメッセージが記された複写紙３を遺族へ渡すことが可能となる。これにより葬儀参列者は葬儀において故人に対する想いを十分に伝えることができ、且つ遺族は複写紙３に記された葬儀参列者のメッセージから葬儀参列者の故人に対する想いを知ることができる。
【００２０】
カード本体２に配される複写紙３は２枚以上あってもよい。この場合、複写紙３を複数の遺族に渡したり、葬儀参列者の控えとしてもよい。複写紙３とカード本体２との分離方法は特に限定されず、例えば剥離可能に糊付けしたり、複写紙３にミシン目を設けたりすることができる。複写紙３の材質はカード本体２に複写可能であれば特に限定されず、例えばマニラアサを配合した機械すき和紙、化学パルプで作製する複写用紙、ホットメルト型カーボンインキを必要部分にだけ塗布した裏カーボン複写紙等が好適に利用される。
カード本体２の材質は、複写紙から複写可能であれば特に限定されないが、火葬上の問題から紙、可燃性樹脂、或いはこれらの組み合わせであることが好ましい。
【００２１】
貼付手段４は、カード本体２に副葬品６を貼付する手段であり、カード本体２の表紙に設けられている。図１（ｂ）に示すように、貼付手段４として両面テープを使用する場合、副葬品６と接着する側は剥離紙が好適に設けられている。副葬品６は、剥離紙を外してテープと粘着することで、カード本体２に貼付することが可能となる（図６参照）。
【００２２】
貼付手段４は、カード本体２に副葬品６を取り付け得るものであれば特に限定されず、のり、マジックテープ（登録商標）、磁石及び磁性体等が好適に利用される。また、カード本体の表面に切欠きを設けてもよく、切欠きに副葬品６を挿入することで、副葬品６をカード本体２に取り付けることができる。
【００２３】
収納ケース５は、図２に示すように、表面５１と、裏面５２と、側面５３とからなり、側面５３の一面に開口部を有している。表面５１には屈曲自在な折り返し部５５と、折り返し部５５の先端に突起部５６を有している。裏面５２には切欠き５４が設けられ、突起部５６を切欠き５４に挿入することにより、収納ケース５に複写紙３を収納し、保管することができる。葬儀参列者がメッセージカード１にメッセージを記入後、複写紙３を収納ケース５に収納する。この収納ケース５は遺族に渡され、遺族は葬儀参列者の故人に対する想いを知ることが可能となる。
【００２４】
収納ケース５は、複写紙３を収納できるものであればその形状は限定されず、箱状や、図２（ｃ）に示すように封筒等の袋状であってもよい。また、切欠き５４に替えて折り返し部５５に糊を塗布したり、シールを貼付したり、磁石と磁性体との組み合わせ等を用いて複写紙３を収納ケース５に収納してもよい。
収納ケース５の材質は特に限定されないが、紙、木材、プラスチック樹脂、金属、又はこれらの２種以上を組み合わせたもの等が好適に利用される。
【００２５】
副葬品６は折り畳まれたカード本体２よりも小さく、プリザーブドフラワー７が利用される。副葬品６は貼付手段４によりカード本体２に貼付される。
プリザーブドフラワー７は、基材と着色層とからなり、具体的には生花に脱水作用がある脱色液に漬けて脱色した後これを基材とし、この基材にインク或いは塗料などの着色液に漬けて着色層を形成し、乾燥させて製造される。これにより、鮮やかな色や柔らかい感触等を長期間保つことができ、プリザーブドフラワーは長期間保管することが可能となるため、生花のように季節や天候に左右されずに安定して提供、及び使用することが可能となる。更に図５に示すように、プリザーブドフラワー７からなる副葬品６は、外部からの衝撃や湿度に弱いが、収納容器に整列して収納することで、長期間保存することが可能となる。
【００２６】
図６は、本発明に使用される副葬品の実施形態の一例を示している。図６に示すように、副葬品６は、プリザーブドフラワー７と、プリザーブドフラワー７を収納する収納部８とを備えている。副葬品６は、収納部８を介してカード本体２に貼付されており、プリザーブドフラワー７は、直接貼付手段４に貼付されない。この理由はプリザーブドフラワー７が破損し易いため、直接貼付手段４に貼付するとプリザーブドフラワー７は破損してカード本体２から外れてしまう虞があるため好ましくない。
図６（ａ）に示すように、副葬品６は上部にプリザーブドフラワー７と、下部にプリザーブドフラワーを収納する筐体の収納部８を有していてもよく、また、図６（ｂ）に示すように、プリザーブドフラワー７は包装されるように収納部８に収納されていてもよい。
【００２７】
収納部８の材質については特に限定されないが、火葬上の点から可燃性材料（紙、パルプ、可燃性樹脂、木材、或いはこれらを２種以上組み合わせたもの）が好適に利用される。また、副葬品６に備えられるプリザーブドフラワー７の数は特に限定されず、１つ或いは複数でもよい。
【００２８】
副葬品６はプリザーブドフラワー７であればその花の種類は限定されないが、例えば図３に示すように、バラ、カーネーション、菊に加え、ディンファレ、ゆり、或いはこれらを２種以上組み合わせたもの等が好適に利用される。例えばバラを副葬品６としてカード本体２に貼付することで、バラに込められた花言葉（愛、幸福、恋、清新等）の思いを込めてメッセージとともに納棺し、故人を偲び、見送ることが可能となる（図７参照）。
【００２９】
更に図４に示すように、プリザーブドフラワー７を特定の有色とすることが好ましい。これにより、副葬品６が貼付されたカード本体２は美観に優れ、カード本体２を納める納棺が華やかになる（図７参照）。
また、故人と参列者の社会的関係及び感情的な関係で特定の色を選択してもよい。例えば、故人と参列者の社会的関係として、白色は故人の部下、黄色は故人との知り合い、赤色は故人の親戚等に選択させることで、納棺時に葬儀参列者の内訳を知ることができると共に、遺族はこれまで知り得なかった葬儀参列者の故人との社会的関係を知ることが可能となる。
【００３０】
感情的な関係でプリザーブドフラワー７の特定の色を選択する方法として、花には色別の花言葉がある。例えばバラには赤であれば情熱・愛情、オレンジであれば絆・信頼、ピンクであれば暖かい心・感謝、紫であれば気品・誇り、白であれば尊敬・約束を守る、黄色であれば友情・献身、青であれば神、夢等の花言葉がある。
従って、葬儀参列者が特定の色のプリザーブドフラワー７をカード本体２に貼付し納棺することで、色ごとに与えられる花言葉を生前の故人に対する想いを込めて故人を偲び、見送ることができる。
【００３１】
また、社会的関係及び感情的関係のプリザーブドフラワー７を組み合わせた副葬品６をカード本体２に貼付してもよい。
【００３２】
また、プリザーブドフラワー７は花の部分（がくと花冠）だけでなく、枝や葉を含んでいてもよい。これにより、副葬品６としての美観に優れ、カード本体２を納める納棺が華やかになる。
【００３３】
収納ケース５及びメッセージカード１は特定の有色であって、故人との社会的関係により選択されてもよい。たとえば、職場仲間は緑色、友人は黄色、親戚はオレンジのように、収納ケース５を特定の有色とすることで、遺族はメッセージカード１を記した葬儀参列者の故人との関係を理解することが可能となる。また、図１、２、５に示されるように収納ケース５及びメッセージカード１に文字や記号、或いはこれらの組み合わせが記されていてもよく、花や図形等の装飾がなされていてもよい。
【００３４】
葬儀参列者はメッセージカード１に故人に対する最後の想いを記入し、更に故人に対する言葉では言い表せない想いをプリザーブドフラワーに込めて納棺することで、これまでの故人に対する想いを十分に添えて故人を見送ることが可能となる。
【産業上の利用可能性】
【００３５】
本発明は、高齢化社会が進む中、葬儀件数が増える一方で葬儀１件あたりの規模が縮小しており、遺族が葬儀参列者からの香典・供花等を辞退する機会が増える状況に着目し、高額な供花や贈り物ではなく、故人に対する想いを残すために、副葬品付きメッセージカード及び収納ケースを提供することで、葬儀参列者と遺族との想いが通じ合うことにより心に残る葬儀を実現することができる。
【符号の説明】
【００３６】
１  メッセージカード
２  カード本体
３  複写紙
４  貼付手段
５  収納ケース
６  副葬品
７  プリザーブドフラワー
【図１】
2016022080.tif 000003
【図２】
2016022080.tif 000004
【図３】
2016022080.tif 000005
【図４】
2016022080.tif 000006
【図５】
2016022080.tif 000007
【図６】
2016022080.tif 000008
【図７】
2016022080.tif 000009